(57)【要約】【課題】  自動排泄物処理ユニット用の吸引ホースを、一般家庭等において比較的簡単に、且つ、低コストにて造ることができ、その結果、吸引ホースの交換を少ない経済的負担の下で短期間で行って、悪臭の発生を可及的に少なくできることを可能にした自動排泄物処理ユニット用吸引ホースの作成方法とその装置を提供する。【解決手段】  内周面に凹設した螺旋溝５２にコイルバネ３１を嵌合した状態で円筒体５１を回転して、コイルバネ３１を螺進させる。円筒体５１の周囲に遊嵌した外筒体５３にホース状筒体３０Ｔ（ビニールホース）を折り重ね状態に嵌装し、上記螺進するコイルバネ３１の先端部に一方のソケット３０Ａとホース状筒体３０Ｔの先端部を固定して、円筒体５１の回転を続け、コイルバネ３１の末端部に他方のソケット３０Ｂとホース状筒体３０Ｔの末端部を取付ける。【選択図】      図５
2009034191.tif 000002
【特許請求の範囲】
【請求項１】
股間に取付けるおむつカップと吸引処理機との間を、薄い合成樹脂製フイルム又はシートで造ったホース状筒体の内部全長に亘って形態保持用のコイルバネを嵌め込んで構成した可撓性の吸引ホースを用いて接続し、おむつカップ内に溜まった排泄物をこの吸引ホースを通して上記の吸引処理機に吸引して処理するように構成した自動排泄物処理ユニットにおいて使用する、上記吸引ホースを作成するための作成方法であって、
ハンドルによる回転操作又は駆動源による駆動によって回転する円筒体の内面長手方向に螺旋溝を凹設し、この螺旋溝に上記コイルバネを弾性的に嵌め込んでで円筒体を回転することにより、コイルバネを円筒体の螺旋溝に沿って軸線方向に螺進せしめるコイルバネの螺進工程と、
上記円筒体の外周面に回転自在に遊嵌された外筒体の外周面に、所定長さの上記未使用のホース状筒体を略蛇腹状に折り重ねた状態に嵌装して、当該外筒体が回転しないように保持しながら上記円筒体を回転する回転工程と、
当該円筒体の回転に従って上記螺旋溝に沿って螺進する上記コイルバネの先端部が上記円筒体の先端口より突出したら、この突出した先端部に接続用の一方のソケットを取付け、且つ、上記ホース状筒体の先端をこの一方のソケットに固定することによって、上記コイルバネの螺進に従って、ホース状筒体を上記外筒体の外周面から順次引き出すホース状筒体の引き出し工程と、
上記円筒体の回転によるコイルバネの螺進が進んで、コイルバネの末端部が上記円筒体の先端口から外に出ると、その末端部に接続用の他方のソケットを取付け、且つ、この他方のソケットに上記ホース状筒体の末端部を固定することによって、内部長手方向にコイルバネを嵌挿し、両端口に接続用のソケットを取付けた吸引ホースを構成する吸引ホースの成形工程と、
から成ることを特徴とする自動排泄物処理ユニット用吸引ホースの作成方法。
【請求項２】
股間に取付けるおむつカップと吸引処理機との間を、薄い合成樹脂製フイルム又はシートで造ったホース状筒体の内部全長に亘って形態保持用のコイルバネを嵌め込んで構成した可撓性の吸引ホースを用いて接続し、おむつカップ内に溜まった排泄物をこの吸引ホースを通して上記の吸引処理機に吸引して処理するように構成した自動排泄物処理ユニットにおいて、
ハンドルの回転操作又は駆動源による駆動操作によって回転する円筒体の内面長手方向に螺旋溝と凹設し、この螺旋溝に上記コイルバネを嵌め込んで円筒体を回転することにより、コイルバネを円筒体の螺旋溝に沿って軸方向に螺進自在と成し、
上記円筒体の外側には、外周面に所定長さの上記未使用のホース状筒体を略蛇腹状に折り重ねた状態に装着することができる外筒体を遊嵌して、この外筒体が回転しないように保持しながら上記円筒体の回転を行うことにより、前記コイルバネの螺進を進めるように構成せしめ、
上記の螺進によって上記円筒体の先端口より突出した上記コイルバネの先端に接続用の一方のソケットを取付け、且つ、この一方のソケットに上記ホース状筒体の先端部を固定してコイルバネの螺進に従ってホース状筒体を上記外筒体の外周面から順次引き出し自在に構成すると共に、
上記円筒体の回転によるコイルバネの螺進が進んで、上記円筒体の先端口から送り出されたコイルバネの末端部に接続用の他方のソケットを取付け、且つ、この他方のソケットに上記ホース状筒体の末端部を取付けることにより、内部に形態保持用のコイルバネを挿通し、両端部に接続用のソケットを取付けた上記吸引用ホースの組立てを可能にしたことを特徴とする自動排泄物処理ユニット用吸引ホースの作成装置。
【発明の詳細な説明】
【技術分野】
【０００１】
本発明は、寝たきりの病人や、寝たきりの高齢者のような要介護者が使用して好適な自動排泄物処理ユニットに関するものであって、具体的には、股間に取付けるおむつカップと吸引処理機の間を接続する吸引ホースの作成方法とその装置に関するものである。
【背景技術】
【０００２】
おむつカップに溜まった排泄物を吸引ホースを通して吸引処理機に吸い取るように構成した自動排泄物処理ユニットは、例えば特許文献１に見られるように、病人や老人が排泄すると、おむつカップ内のセンサーがこれを感知して吸引処理機を作動し、おむつカップ内に溜まった排泄物を吸引ホースを通して吸引処理機内に吸い取るように構成されており、同時に、吸引処理機から温水が送られて汚れが洗い落とされて、この汚水も吸引処理機に吸引され、更に、吸引処理機から温風が送られて、おむつカップ内を乾燥するように構成されている。
【特許文献１】特開２００１−１９０５８３号公報
【発明の開示】
【発明が解決しようとする課題】
【０００３】
この様に、自動排泄物処理ユニットは寝たきりの老人及び病人にとって、また、これ等老人及び病人を介護する介護人にとっても大変便利なものであって、次第にその需要が増加しつつあるが、吸引ホースに付着する汚物が原因で発生する悪臭の問題を解決することが望まれている。
【０００４】
吸引ホースは、合成樹脂製の可撓性ホースを用いて構成され、且つ、その形態を保持するためにコイルバネ（一般的に形状記憶合金で造られている）を内装した屈曲自在なホースであって、おむつカップの洗浄はこれを取り外して比較的簡単に行えるが、この細長い吸引ホースは水を通しただけでは内部の汚れを洗浄することができず、次第に汚れが溜まって悪臭を発する原因に成っていた。
【０００５】
従って、自動排泄物処理ユニットを使用するには、吸引ホースを頻繁に洗浄する煩わしさがあり、また、洗浄を繰り返しても直ぐににおいが付着して悪臭を発するため、比較的短期間でホース自体を交換する必要があり、而も、吸引ホースは形態保持用のコイルバネを内装した複雑な構成で、比較的価格も高いため、経済的負担が増える問題もあって、その改善が望まれていた。
【０００６】
そこで本発明の技術的課題は、自動排泄物処理ユニット用の吸引ホースを、一般家庭等において比較的簡単に、且つ、低コストにて造ることができ、その結果、吸引ホースの交換を少ない経済的負担の下で短期間で行って、悪臭の発生を可及的に少なくできることを可能にした自動排泄物処理ユニット用吸引ホースの作成方法とその装置を提供することである。
【課題を解決するための手段】
【０００７】
（１）  上記の技術的課題を解決するために、本発明の請求項１に係る自動排泄物処理ユニット用吸引ホースの作成方法は、股間に取付けるおむつカップと吸引処理機との間を、薄い合成樹脂製フイルム又はシートで造ったホース状筒体の内部全長に亘って形態保持用のコイルバネを嵌め込んで構成した可撓性の吸引ホースを用いて接続し、おむつカップ内に溜まった排泄物をこの吸引ホースを通して上記の吸引処理機に吸引して処理するように構成した自動排泄物処理ユニットにおいて使用する、上記吸引ホースを作成するための作成方法であって、ハンドルによる回転操作又は駆動源による駆動によって回転する円筒体の内面長手方向に螺旋溝を凹設し、この螺旋溝に上記コイルバネを弾性的に嵌め込んでで円筒体を回転することにより、コイルバネを円筒体の螺旋溝に沿って軸線方向に螺進せしめるコイルバネの螺進工程と、上記円筒体の外周面に回転自在に遊嵌された外筒体の外周面に、所定長さの上記未使用のホース状筒体を略蛇腹状に折り重ねた状態に嵌装して、当該外筒体が回転しないように保持しながら上記円筒体を回転する回転工程と、当該円筒体の回転に従って上記螺旋溝に沿って螺進する上記コイルバネの先端部が上記円筒体の先端口より突出したら、この突出した先端部に接続用の一方のソケットを取付け、且つ、上記ホース状筒体の先端をこの一方のソケットに固定することによって、上記コイルバネの螺進に従って、ホース状筒体を上記外筒体の外周面から順次引き出すホース状筒体の引き出し工程と、上記円筒体の回転によるコイルバネの螺進が進んで、コイルバネの末端部が上記円筒体の先端口から外に出ると、その末端部に接続用の他方のソケットを取付け、且つ、この他方のソケットに上記ホース状筒体の末端部を固定することによって、内部長手方向にコイルバネを嵌挿し、両端口に接続用のソケットを取付けた吸引ホースを構成する吸引ホースの成形工程と、から成ることを特徴としている。
【０００８】
（２）  また、本発明の請求項２に係る自動排泄物処理ユニット用吸引ホースの作成装置は、股間に取付けるおむつカップと吸引処理機との間を、薄い合成樹脂製フイルム又はシートで造ったホース状筒体の内部全長に亘って形態保持用のコイルバネを嵌め込んで構成した可撓性の吸引ホースを用いて接続し、おむつカップ内に溜まった排泄物をこの吸引ホースを通して上記の吸引処理機に吸引して処理するように構成した自動排泄物処理ユニットにおいて、ハンドルの回転操作又は駆動源による駆動操作によって回転する円筒体の内面長手方向に螺旋溝と凹設し、この螺旋溝に上記コイルバネを嵌め込んで円筒体を回転することにより、コイルバネを円筒体の螺旋溝に沿って軸方向に螺進自在と成し、上記円筒体の外側には、外周面に所定長さの上記未使用のホース状筒体を略蛇腹状に折り重ねた状態に装着することができる外筒体を遊嵌して、この外筒体が回転しないように保持しながら上記円筒体の回転を行うことにより、前記コイルバネの螺進を進めるように構成せしめ、上記の螺進によって上記円筒体の先端口より突出した上記コイルバネの先端に接続用の一方のソケットを取付け、且つ、この一方のソケットに上記ホース状筒体の先端部を固定してコイルバネの螺進に従ってホース状筒体を上記外筒体の外周面から順次引き出し自在に構成すると共に、上記円筒体の回転によるコイルバネの螺進が進んで、上記円筒体の先端口から送り出されたコイルバネの末端部に接続用の他方のソケットを取付け、且つ、この他方のソケットに上記ホース状筒体の末端部を取付けることにより、内部に形態保持用のコイルバネを挿通し、両端部に接続用のソケットを取付けた上記吸引用ホースの組立てを可能にしたことを特徴としている。
【０００９】
上記（１）と（２）で述べた手段によれば、使用によって汚れたコイルバネを吸引ホース内部から取り出して洗浄することにより、再利用することができる経済性を備えている。このコイルバネを円筒体の内周面に凹設した螺旋溝に嵌め込み、且つ、円筒体の外周に遊嵌した外筒体の外周面に、所定長さに切断した未使用で、且つ、長尺のホース状筒体を略蛇腹状に折り重ねて嵌装して、この外筒体が回転しないように手等で保持しながら上記の円筒体を回転すると、上記の螺旋溝に沿ってコイルバネが軸線方向に螺進して、その先端部を円筒体の先端口より突出する。
【００１０】
次いで、このコイルバネの先端に一方の接続用ソケットを取付け、更に、このソケットに上記外筒体の外周面に嵌装したホース状筒体の先端部をバンドや接着剤等で固定した後、上記円筒体の回転を続けると、先端部に接続用の一方のソケットを取付け、内部に形態保持用のコイルバネが挿通されたホース状筒体が次第に引き出される。
【００１１】
上記コイルバネの螺進によるホース状筒体の引き出しが続いて、コイルバネの末端が円筒体の先端口から外側に出たら、この末端に他方の接続用ソケットを取付け、且つ、このソケットにホース状筒体の末端部（コイルバネとホース状筒体は予め略同じ長さに造られている）にバンドや接着剤等で固定すれば、薄い合成樹脂フイルム又はシートで造った可撓性のホース状筒体の内部に、形態保持用のコイルバネを挿通し、且つ、両端部におむつカップと吸引処理機に接続可能なソケットを取付けた構造の吸引ホースを造ることができる。
【発明の効果】
【００１２】
以上述べた次第で、本発明に係る自動排泄物処理ユニット用吸引ホースの作成方法及び作成装置によれば、洗浄しても排泄物が付着していて悪臭を発する吸引ホースを繰り返し使用する必要がなく、コイルバネと接続用のソケットを洗浄して再利用するだけで、ホース自体を新しくすることができるため、自動排泄物処理ユニットを快適に利用できる利点を発揮することができる。
【００１３】
更に本発明では、吸引ホースとして例えばビニール製ホースのような比較的低コストにて入手可能なホースを利用できるため、所謂使い捨ての状態で衛生的に、且つ、経済的に利用できる利点を発揮できるものであって、寝たきりの要介護者或いは病人等の生活環境を向上できると共に、介護費を軽減できる利点も発揮することができる。
【発明を実施するための最良の形態】
【００１４】
以下に上述した本発明に係る自動排泄物処理ユニット用吸引ホースの作成方法及び作成装置の実施の形態を図面と共に説明すると、図１は自動排泄物処理ユニットの全体を説明した斜視図であって、図中、１０はおむつ、２０はおむつ１０に取付けたおむつカップ、２１はおむつカップ２０に設けた接続口、３０は一端に設けた接続用のソケット３０Ａを上記おむつカップ２０の接続口２１に接続した吸引ホースで、この吸引ホース３０の他端に取付けた接続用のソケット３０Ｂを吸引処理機４０の接続口４１に接続することによって、おむつカップ２０と吸引処理機４０との間が、形態保持用のコイルバネ３１が内装された可撓性の吸引ホース３０で接続されている。
【００１５】
おむつカップ２０の内部にはセンサー（図示省略）が設けられていて、このセンサーが排泄物を感知すると、吸引処理機４０に設けた吸引装置が作動して、おむつカップ２０内に溜まった排泄物を吸引ホース３０を通して吸引処理機４０内のタンクに吸引し、これと同時に温水が吸引ホース３０を通しておむつカップ２０内に送られて汚れを洗い落とし、その洗浄汚水も吸引ホース３０を通して吸引処理機４０に吸引され、更に、吸引処理機４０から温風が送られて、おむつカップ２０とおむつ１０の内部が乾燥される仕組みに成っているが、その具体的な構成は前記特許文献１に記載されていて既に公知の技術であるから、その詳細な説明は省略する。
【００１６】
図２乃至図５は、本発明に係る吸引ホース作成装置５０の一実施例を示したものであって、図２は吸引ホース作成装置５０を固定台７０にセットした状態を示した側断面図、図３、図４、図５は夫々吸引ホース３０を作成している工程を説明した側断面図を示す。これ等の各図において、６０は固定台７０に取付け自在に構成した固定枠で、この固定枠６０には内周面の長手方向に螺旋溝５２を凹設した円筒体５１の根端部が、ベアリング６１を介して片持ち構造に、且つ、回転自在に取付けられている。
【００１７】
上記円筒体５１の内径は、前記吸引ホース３０に内装されているコイルバネ３１の外径よりも若干小径に造られていて、図４の如くコイルバネ３１の先端部３１Ａを円筒体５１の根端口５１Ａより内部に嵌め込むと、先端部３１Ａが円筒体５１の内周面に凹設した螺旋溝５２の内部に弾性的に嵌合し、この嵌合状態のまま円筒体５１の回転を続けると、コイルバネ３１を螺旋溝５２に沿って図面上左方向に螺進させるように構成されている。
【００１８】
上記図２乃至図５において、６５は上記固定枠６０の上面部に回転自在に取付けた回転板で、６４はベアリング６０を介して固定枠６０に回転自在に取付けた上記回転板６５の回転軸、６５Ｔは回転板６５のハンドル、６３は回転軸６４に取付けた作動ギヤ、６２は上記円筒体５１の根端部周面に固定した連動ギヤで、これ等両ギヤ６３、６２の噛合によって、ハンドル６５Ｔを握って回転板６５を回転すると、円筒体５１が回転して、前記コイルバネ３１を螺旋溝５２にガイドさせて図面上左方向に螺進させる仕組みに成っている。
【００１９】
コイルバネ３１としては、例えば、形状記憶合金を用いて造られたものが使用されるが、吸引ホース３０を屈曲自在に保持し、且つ、洗浄して繰り返し使用できると共に、吸引ホース３０の内部形状を含むその形態を保持できるものであれば、使用する材質は任意とする。また、円筒体５１を回転する手段としては、図面には手動式のものが記載されているが、これも実施の一例であって、円筒体５１の回転を例えばモータのような駆動機構を用いて行うようにしてもよく、その選択は任意とする。
【００２０】
更に図２乃至図５において、５３は上記円筒体５１の外周に回転可能に遊嵌した外筒体で、この外筒体５３は円筒体５１に対して軸方向にスライド自在、及び、取り外し自在に構成されていて、その外周面には、図２並びに図３に示すように前記吸引ホース３０を構成するホース状筒体３０Ｔが、略蛇腹状に折り重ねた状態に嵌装されている。
【００２１】
ホース状筒体３０Ｔは、例えばビニールホースのような薄い合成樹脂フイルム又はシート製の筒状体を用いて造られていて、予め上記吸引ホース３０の長さと同じか、又は、それよりも若干長目の寸法に切断形成されており、通常は、１回〜数回の排泄処理ごとに新しいものと交換して使用される仕組みに成っている。
【００２２】
図４と図５は、外周面に上記のホース状筒体３０Ｔを折り重ねた状態に嵌装した外筒体５３を、回転しないように手やその他の道具類で押さえながら円筒体５１を回転している状態と、円筒体５１の回転によって螺進して、円筒体５１の先端口５１Ｂより突出したコイルバネ３１の先端部３１Ａに、前述した一方又は他方の接続用ソケット３０Ａ，３０Ｂを固定し、更に、外筒体５３の外周面より引き出した上記ホース状筒体３０Ｔの先端３０Ｘを上記のカセット３０Ａ又は３０Ｂに取付けた状態を示している。
【００２３】
尚、上記一方又は他方のソケット３０Ａ，３０Ｂに対する上記コイルバネ３１の先端部３１Ａと、上記ホース状筒体３０Ｔの先端３０Ｘの各取付けは、専用の止め具やバンド類（いずれも図示省略）使用したり、或いは、コイルバネ３１の場合は先端部３１Ａの弾発力による係止力を利用したり、更には、ソケット３０Ａ又は３０Ｂの内側面に係合溝や穴を設けて先端部３１Ａを係合したりして、取付けることが考えられるが、これ等取付け方法はいずれも実施例であって、これ等の取付け方法にのみ限定されないことは勿論である。
【００２４】
図５に示すようにコイルバネ３１の先端部３１Ａにソケット３０Ａ又は３０Ｂとホース状筒体３０Ｔの先端３０Ｘが取付けられたら、その後は、外筒体５３が回転しないように保持しながら円筒体５１の回転を続ければ、コイルバネ３１の螺進とホース状筒体３０Ｔの引き出しが順次続き、コイルバネ３１の末端部が円筒体５１の先端口５１Ｂに送り出された時点で回転を止めて、ホース状筒体３０Ｔの末端部とコイルバネ３１の末端部を、前記先端部の取付けと同様の手段で夫々一方又は他方のソケット３０Ａ，３０Ｂに取付ければ、図１に示すように、ホース状筒体３０Ｔの内部全長に亘って形態保持用のコイルバネ３１を挿通し、両端部に接続用のソケット３０Ａ，３０Ｂを取付けた可撓性の吸引ホース３０を、極めて簡単に、且つ、低コストにて組立て成形することができる。
【００２５】
また、使用後は、ホース状筒体３０Ｔの両端部からソケット３０Ａ，３０Ｂを取り外し、且つ、ホース状筒体３０Ｔの内部よりコイルバネ３１を取り出して、これ等の洗浄及び再利用と、ホース状筒体３０Ｔの廃棄処理を行うことで、自動排泄物処理ユニットを好適な環境下で有効利用することができる。
【図面の簡単な説明】
【００２６】
【図１】自動排泄物処理ユニットの全体を説明した斜視図。
【図２】本発明に係る吸引ホース作成装置の全体構成を示した側断面図。
【図３】本発明に係る吸引ホース作成装置におけるホース状筒体（ビニールホース）セット時の状態を示した側断面図。
【図４】本発明に係る吸引ホース作成装置におけるコイルバネ挿入時の状態を示した側断面図。
【図５】本発明に係る吸引ホース作成装置における接続用ソケット時の状態を示した側断面図。
【符号の説明】
【００２７】
１０          おむつ
２０          おむつカップ
２１          接続口
３０          吸引ホース
３０Ｔ          ホース状筒体
３０Ａ，３０Ｂ  接続用のソケット
３１            コイルバネ
４０            吸引処理機
４１            接続口
５０            吸引ホース作成装置
５１            円筒体
５１Ｂ          先端口
５２            螺旋溝
５３            外筒体
６０            固定枠
６５            回転ハンドル
７０            固定台            
【図１】
2009034191.tif 000003
【図２】
2009034191.tif 000004
【図３】
2009034191.tif 000005
【図４】
2009034191.tif 000006
【図５】
2009034191.tif 000007